【手続補正書】
【提出日】平成21年7月14日(2009.7.14)
【手続補正１】
【補正対象書類名】特許請求の範囲
【補正対象項目名】全文
【補正方法】変更
【補正の内容】
【特許請求の範囲】
【請求項１】
溶液の複製配列を調製する方法であって、
それぞれの溶液がマスター配列中で独自のアドレスを有している、溶液のマスター配列を調製すること、および
マスター配列の複製配列を第一の基材上に移動し、それによって溶液の第一の複製配列を生成すること、および
複製溶液を、２つまたはそれ以上の異なる無機物質の反応生成物の固体生成組成物へと転換すること、
を含む方法。
【請求項２】
マスター配列の調製が、マスター配列のそれぞれのアドレスにおいて、少なくとも２つの異なる金属化合物を組み合わせることを含む請求項１記載の方法。
【請求項３】
固体無機物質が、アルミニウム、アンチモン、バリウム、ビスマス、ホウ素、カドミウム、カルシウム、炭素、セリウム、クロム、コバルト、銅、ジスプロシウム、エルビウム、ユウロピウム、ガドリニウム、ゲルマニウム、金、ハフニウム、ホルミウム、インジウム、イリジウム、鉄、ランタニウム、鉛、リチウム、ルテチウム、マグネシウム、マンガン、モリブデン、ネオジウム、ニッケル、ニオブ、パラジウム、白金、ポロニウム、プラセオジウム、レニウム、ロジウム、ルテニウム、サマリウム、スカンジウム、セレン、ケイ素、銀、ストロンチウム、タンタル、テルル、テルビウム、タリウム、ツリウム、錫、チタン、タングステン、バナジウム、イッテルビウム、イットリウム、亜鉛、およびジルコニウムからなる群から選ばれた１つまたはそれ以上の金属を含む請求項１記載の方法。
【請求項４】
無機物質が酸化型であるか、または無機物質がイオン型である請求項３記載の方法。
【請求項５】
溶液のマスター配列の調製が、少なくとも１つの溶液の安定化ポリマーによる安定化を更に含む、請求項１記載の方法。
【請求項６】
溶液の少なくとも１つの成分が安定化ポリマーと結合するか、またはポリマーが、ポリアニオンポリマー、ポリカチオンポリマー、混合イオン性ポリマー、ペプチド、ポリエチレンイミン（ＰＥＩ）、ヘパリン、カルボキシル化されたポリエチレンイミン（ＰＥＩＣ）、ポリエチレンオキサイド、高分子電解質、ポリアクリレート、パーフルオロスルホナート、パーフルオロカルボキシレート、アクリルアミド、ポリアクリル酸、ポリアクリロニトリル、ポリヌクレオチド、タンパク質、ポリカーボネート、ジエチルアミノエチル−デキストラン、硫酸デキストラン、ポリグルタミン酸、ポリホスファート、ポリボレート、ニトリロトリアセテート（ＮＴＡ）、エチレンジアミンテトラアセテート（ＥＤＴＡ）類、ポリヒスチジン、ＤＭＰＳ、ＤＭＳＡ、ＤＭＳＯ、ビピリジル、エチレングリコールビス２−アミノエチル四酢酸（ＥＧＴＡ）、ヒドロキシエチルエチレンジアミン三酢酸（ＨＥＤＴＡ）、ヒドロキシエチルでんぷん（ＨＥＳ）、デキストラン、デキストリン、イヌリン、ポリビニルピロリドン（ＰＶＰ）、およびポリスチレンからなる群から選ばれる請求項５記載の方法。
【請求項７】
基材を２０℃を超える温度にまで加熱することを更に含む請求項１記載の方法。
【請求項８】
溶液の複製配列が、乾燥することによって固体無機物質の生成物配列へと転換されるか、または溶液の複製配列が、化学反応によって固体無機物質の生成物配列へと転換される請求項１記載の方法。
【請求項９】
生成物配列中の少なくとも１つの固体無機物質からの信号を検知することを更に含む請求項１記載の方法。
【請求項１０】
信号が、電圧の測定、電流の測定、磁気特性の測定、分光法、顕微鏡法、および蛍光透視法からなる群から選ばれた技術を用いて検知される請求項９記載の方法。
【請求項１１】
溶液の複製配列を調製する方法であって、
それぞれの溶液が、マスター配列中で独自のアドレスを有する、溶液のマスター配列を調整すること、
それぞれの溶液の少なくとも第一の部分を、マスター配列から第一の基材へと移動して、溶液の第一の複製配列を形成すること、
それぞれの溶液の少なくとも第二の部分を、マスター配列から第二の基材へと移動して、溶液の第二の複製配列を形成すること、
溶液の第一の複製配列を固体無機物質の第一の生成物配列へと転換する第一のプロセスを用いること、
溶液の第二の複製配列を固体無機物質の第二の生成物配列へと転換する第二のプロセスを用いること、および、
第一の生成物配列の少なくとも１つのアドレスからの信号を検知すること、そしてその信号を、第二の生成物配列の対応するアドレスから検知された信号と比較すること、を含む方法。
【請求項１２】
第一および第二のプロセスパラメータが、温度、圧力、時間、放射線暴露、化学反応、溶剤暴露、および気体暴露からなる群から選ばれる請求項１１記載の方法。
【請求項１３】
第一の生成物配列の少なくとも１つのアドレスから検出される信号、および第二の生成物配列の対応するアドレスから検知される信号が、電圧の測定、電流の測定、磁気特性の測定、分光法、顕微鏡法、および蛍光透視法からなる群から選ばれた技術を用いて分析される請求項１２記載の方法。
【請求項１４】
溶液の複製配列を調製するための装置であって、
それぞれの溶液が、マスター配列中で独自のアドレスを有する、溶液のマスター配列であって、２つまたはそれ以上のアドレスの溶液が異なる無機物質を含んでいるマスター配列、
溶液のマスター配列からの複製配列を受容する表面を有する基材、
マスター配列の溶液の少なくとも１つを基材の表面へ移動して、複製配列を調製する移動装置、および
溶液の複製配列を固体無機物質の生成物配列へと転換する処理装置、を含む装置。
【請求項１５】
請求項１４記載の装置であって、
マスター配列が少なくとも８つのアドレスを含み、
マスター配列のそれぞれの溶液が多穴の皿の１つの穴の中に収容されており、
無機物質が酸化型であるか、または無機物質がイオン型であり、
固体無機物質が、アルミニウム、アンチモン、バリウム、ビスマス、ホウ素、カドミウム、カルシウム、炭素、セリウム、クロム、コバルト、銅、ジスプロシウム、エルビウム、ユウロピウム、ガドリニウム、ゲルマニウム、金、ハフニウム、ホルミウム、インジウム、イリジウム、鉄、ランタニウム、鉛、リチウム、ルテチウム、マグネシウム、マンガン、モリブデン、ネオジウム、ニッケル、ニオブ、パラジウム、白金、ポロニウム、プラセオジウム、レニウム、ロジウム、ルテニウム、サマリウム、スカンジウム、セレン、ケイ素、銀、ストロンチウム、タンタル、テルル、テルビウム、タリウム、ツリウム、錫、チタン、タングステン、バナジウム、イッテルビウム、イットリウム、亜鉛、およびジルコニウムからなる群から選ばれた１つまたはそれ以上の金属を含む、装置。
【請求項１６】
複製配列の少なくとも１つの溶液が、安定化ポリマーを含む安定化された溶液である請求項１４記載の装置。
【請求項１７】
基材が、セラミック、ガラス、ケイ素、グラファイト、ポリマー、炭素複合材、化合物半導体、金属、および金属含有化合物からなる群から選ばれ、
移動装置が、マスター配列の溶液アドレスと見合うように間隔を開けた移動プローブの配列を有する移動ブロックを含み、または
溶液の複製配列を固体無機物質の生成物配列へと転換するための処理装置が加熱装置である、請求項１４記載の装置。
【請求項１８】
移動装置が、マスター配列の溶液アドレスと見合うように間隔を開けた移動プローブの配列を有する移動ブロックを含む請求項１４記載の装置。
【請求項１９】
固体無機物質の生成物配列の少なくとも１つのアドレスからの信号を検出するための検出器を更に含む請求項１４記載の装置。